(57)【特許請求の範囲】
【請求項１】
炭化タングステン基超硬合金または炭窒化チタン基サーメットで構成された工具基体の表面に硬質被覆層を設けた表面被覆切削工具において、
前記硬質被覆層が下部層と上部層とからなり、
（ａ）前記下部層は、Ｔｉの炭化物層、窒化物層、炭窒化物層、炭酸化物層および炭窒酸化物層のうちの１層または２層以上からなり、かつ、３〜２０μｍの合計平均層厚を有するＴｉ化合物層、
（ｂ）前記上部層は、１〜２５μｍの平均層厚を有する酸化アルミニウム層、
であり、
前記下部層と上部層との界面近傍の下部層中に孔径２〜７０ｎｍの微小空孔を有する微小空孔富裕層が存在し、該微小空孔富裕層が０．１〜１μｍの層厚を有し、該微小空孔富裕層の微小空孔の孔径分布がバイモーダルな分布をとることを特徴とする表面被覆切削工具。
【請求項２】
前記微小空孔の孔径分布の第１ピークが２〜１０ｎｍに存在し、孔径２ｎｍごとに微小空孔を数えたときの第１ピークにおける微小空孔数密度が２００〜５００個／μｍ２であって、
前記微小空孔の孔径分布の第２ピークが、２０〜５０ｎｍに存在し、孔径２ｎｍごとに微小空孔を数えたときの第２ピークにおける微小空孔数密度が１０〜５０個／μｍ２であることを特徴とする請求項１に記載の表面被覆切削工具。
【発明の詳細な説明】
【技術分野】
【０００１】
本発明は、高熱発生を伴うとともに、切れ刃に断続的・衝撃的負荷が作用する各種の鋼や鋳鉄の高速断続切削加工において、硬質被覆層がすぐれた耐チッピング性、耐欠損性を備えることにより、長期の使用にわたってすぐれた切削性能を発揮する表面被覆切削工具（以下、被覆工具という）に関するものである。
【背景技術】
【０００２】
従来、一般に、炭化タングステン（以下、ＷＣで示す）基超硬合金または炭窒化チタン（以下、ＴｉＣＮで示す）基サーメットで構成された基体（以下、これらを総称して工具基体という）の表面に、
（ａ）下部層が、いずれも化学蒸着形成された、Ｔｉの炭化物（以下、ＴｉＣで示す）層、窒化物（以下、同じくＴｉＮで示す）層、炭窒化物（以下、ＴｉＣＮで示す）層、炭酸化物（以下、ＴｉＣＯで示す）層および炭窒酸化物（以下、ＴｉＣＮＯで示す）層のうちの１層または２層以上からなるＴｉ化合物層、
（ｂ）上部層が、化学蒸着形成された酸化アルミニウム（以下、Ａｌ２Ｏ３で示す）層、
以上（ａ）および（ｂ）で構成された硬質被覆層を形成してなる被覆工具が知られており、この被覆工具は、各種の鋼や鋳鉄などの切削加工に用いられていることが知られている。
【０００３】
ただ、前記被覆工具は、切れ刃に大きな負荷がかかる切削条件では、チッピング、欠損等を発生しやすく、工具寿命が短命であるという問題があるため、これを解消するために、従来からいくつかの提案がなされている。
【０００４】
例えば、特許文献１には、硬質被覆層として、下部層と上部層との間に硼窒酸化チタンからなる中間層を設け、この中間層の酸素含有量を下部層側から上部層側に向かって多くなる構造とすることによって、硬質被覆層の下部層と上部層との接着性を高め、もって、被覆工具の耐チッピング性を改善することが提案されている。
【０００５】
また、特許文献２には、チタン系の下部層とαアルミナ層からなる上部層とからなる硬質被覆層を有する切削工具において、下部層と上部層との界面に１０μｍの長さ範囲あたりに、酸化チタン部を１〜５０個の割合で分散分布させたことにより、衝撃に対する耐久性を高めて、チッピングや欠損が発生することなくすぐれた耐チッピング性および耐欠損性を有するとともに、耐摩耗性にもすぐれる切削工具を提供することが提案されている。また、特許文献３には、硬質被覆層として、上部層として空孔率５〜３０％の多孔質Ａｌ２Ｏ３層を設け、その上に表面層としてＴｉＮ層を設けることによって、熱的および機械的衝撃を吸収緩和し、もって、被覆工具の耐チッピング性を改善することが提案されている。
【先行技術文献】
【特許文献】
【０００６】
【特許文献１】特許第４２５１９９０号公報
【特許文献２】特開２００６−２０５３００号公報
【特許文献３】特開２００３−１９６０３号公報
【発明の概要】
【発明が解決しようとする課題】
【０００７】
近年の切削加工における省力化および省エネ化の要求は強く、これに伴い、被覆工具は一段と過酷な条件下で使用されるようになってきているが、例えば、前記特許文献１、２、３に示される被覆工具においても、高熱発生を伴うとともに、より一段と切れ刃に断続的・衝撃的負荷が作用する高速断続切削加工に用いられた場合には、上部層の耐機械的衝撃性、耐熱的衝撃性が十分ではないために、切削加工時の高負荷によって切れ刃にチッピング、欠損が発生しやすく、その結果、比較的短時間で使用寿命に至るのが現状である。
【課題を解決するための手段】
【０００８】
そこで、本発明者らは、前述のような観点から、高熱発生を伴い、かつ、切れ刃に断続的・衝撃的負荷が作用する高速断続切削加工に用いられた場合でも、硬質被覆層がすぐれた衝撃吸収性を備え、その結果、長期の使用にわたってすぐれた耐チッピング性、耐欠損性を発揮する被覆工具について鋭意研究を行った結果、以下の知見を得た。
【０００９】
即ち、硬質被覆層として、前記従来の多孔質Ａｌ２Ｏ３層を形成したものにおいては、Ａｌ２Ｏ３層内の全体にわたって、ほぼ均一な孔径の微小空孔が形成されており、そのため、空孔率が高くなるほど機械的、熱的な耐衝撃性は向上するが、その反面、空孔率が高くなるほど多孔質Ａｌ２Ｏ３層の高温強度、高温硬さが低下するため、長期の使用にわたって十分な耐摩耗性を発揮することができず、また、工具寿命も満足できるものであるとはいえなかった。
【００１０】
そこで、本発明者らは、硬質被覆層をＴｉ化合物層からなる下部層とＡｌ２Ｏ３層からなる上部層とから構成し、上部層と下部層との界面近傍の下部層中に孔径２〜７０ｎｍの微小空孔を有する微小空孔富裕層が存在し、該微小空孔富裕層を所定の層厚とすることによって、Ａｌ２Ｏ３層の高温強度と高温硬さの低下を招くことなく、機械的、熱的な耐衝撃性を向上させることができることを見出した。
【００１１】
また、微小空孔富裕層を構成する２〜７０ｎｍの微小空孔の孔径分布と硬質被覆層の耐チッピング性、耐欠損性との関係を鋭意研究した結果、微小空孔の孔径を２ｎｍから７０ｎｍにわたって均一に分布させるのではなく、バイモーダルな分布（双峰分布）をとることにより、より耐チッピング性、耐欠損性を向上させることができることを見出した。
【００１２】
さらに、バイモーダルな分布としては、微小空孔の孔径分布の第１ピークが２〜１０ｎｍに存在し、孔径２ｎｍごとに微小空孔を数えたときの第１ピークにおける微小空孔数密度が２００〜５００個／μｍ２であって、第２ピークが、２０〜５０ｎｍに存在し、孔径２ｎｍごとに微小空孔を数えたときの第２ピークにおける微小空孔数密度が１０〜５０個／μｍ２であることがより効果的であることを見出した。
【００１３】
微小空孔の孔径分布をバイモーダルな分布とすることによって、すぐれた効果が奏される理由としては、大きな孔径の微小空孔が、熱的および機械的衝撃を吸収緩和させ、耐欠損性、耐チッピング性を向上させ、小さな孔径の微小空孔が、Ａｌ２Ｏ３の核生成数を向上させ下部層と上部層との付着強度を向上させる結果、耐欠損性、耐チッピング性を向上させることによるものと考えられる。
【００１４】
そして、前記孔径分布を備える微小空孔は、例えば、以下の化学蒸着法によって成膜することができる。
（ａ）工具基体表面に、通常のＴｉ化合物層からなる微小空孔富裕層分を除いた目標厚さの下部層を蒸着形成し、
（ｂ）前記（ａ）の成膜過程の後、上記反応を停止すると同時に、ＳＦ６系ガスを主として孔径が２〜１０ｎｍの微小空孔が生成するＡ条件（後述）で導入してＳＦ６エッチングを行い、
（ｃ）次いで、Ｔｉ化合物層の蒸着形成を再度行ない、
（ｄ）前記（ｃ）の成膜過程の後、上記反応を停止すると同時に、ＳＦ６系ガスを主として孔径が２０〜５０ｎｍの微小空孔が生成するＢ条件（後述）で導入してＳＦ６エッチングを行い、
（ｅ）次いで、Ｔｉ化合物層の蒸着形成を再度行ない、
（ｆ）前記（ｂ）〜（ｅ）を所定時間、繰り返し行なうことによって、所定の層厚の微小空孔富裕層を形成する。
（ｇ）次いで、反応ガスとして、ＡｌＣl３−ＣＯ２−ＨＣｌ−Ｈ２Ｓ−Ｈ２を用いて、
化学蒸着法により上部層としてＡｌ２Ｏ３層を形成する。
【００１５】
前記（ａ）〜（ｇ）によって、工具基体表面には、目標層厚の下部層と上部層からなる硬質被覆層が形成されるが、前記硬質被覆層について走査型電子顕微鏡及び透過型電子顕微鏡で断面組織観察を行うと、Ａｌ２Ｏ３層とＴｉ化合物層の界面近傍のＴｉ化合物層中の微小空孔富裕層には孔径２〜７０ｎｍの微小空孔が形成され、しかも、微小空孔の孔径分布は、第１ピークが２〜１０ｎｍに存在し、孔径２ｎｍごとに微小空孔を数えたときの第１ピークにおける微小空孔数密度が２００〜５００個／μｍ２であって、第２ピークが２０〜５０ｎｍに存在し、孔径２ｎｍごとに微小空孔を数えたときの第２ピークにおける微小空孔数密度が１０〜５０個／μｍ２であるバイモーダルな分布をとることが確認される。
【００１６】
そして、硬質被覆層の上部層と下部層の界面近傍の下部層中の微小空孔富裕層に前述した孔径分布がバイモーダルな分布をとって形成された本発明の被覆工具は、高熱発生を伴い、かつ、切れ刃に断続的・衝撃的負荷が作用する鋼や鋳鉄の高速断続切削加工に用いた場合でも、硬質被覆層が耐チッピング性、耐欠損性にすぐれ、長期の使用にわたってすぐれた耐摩耗性を発揮し得ることを見出した。
【００１７】
本発明は、前記知見に基づいてなされたものであって、
「（１）  炭化タングステン基超硬合金または炭窒化チタン基サーメットで構成された工具基体の表面に硬質被覆層を設けた表面被覆切削工具において、
前記硬質被覆層が下部層と上部層とからなり、
（ａ）前記下部層は、Ｔｉの炭化物層、窒化物層、炭窒化物層、炭酸化物層および炭窒酸化物層のうちの１層または２層以上からなり、かつ、３〜２０μｍの合計平均層厚を有するＴｉ化合物層、
（ｂ）前記上部層は、１〜２５μｍの平均層厚を有する酸化アルミニウム層、
であり、
前記下部層と上部層との界面近傍の下部層中に孔径２〜７０ｎｍの微小空孔を有する微小空孔富裕層が存在し、該微小空孔富裕層が０．１〜１μｍの層厚を有し、該微小空孔富裕層の微小空孔の孔径分布がバイモーダルな分布をとることを特徴とする表面被覆切削工具。
（２）  前記微小空孔の孔径分布の第１ピークが２〜１０ｎｍに存在し、孔径２ｎｍごとに微小空孔を数えたときの第１ピークにおける微小空孔数密度が２００〜５００個／μｍ２であって、第２ピークが２０〜５０ｎｍに存在し、孔径２ｎｍごとに微小空孔を数えたときの第２ピークにおける微小空孔数密度が１０〜５０個／μｍ２であることを特徴とする（１）に記載の表面被覆切削工具。」
に特徴を有するものである。
【００１８】
本発明について、以下に詳細に説明する。
下部層のＴｉ化合物層：
Ｔｉの炭化物層、窒化物層、炭窒化物層、炭酸化物層および炭窒酸化物層のうちの１層または２層以上のＴｉ化合物層からなる下部層は、通常の化学蒸着条件で形成することができ、それ自体が高温強度を有し、これの存在によって硬質被覆層が高温強度を具備するようになるほか、工具基体とＡｌ２Ｏ３層からなる上部層のいずれにも強固に密着し、よって硬質被覆層の工具基体に対する密着性向上に寄与する作用をもつが、その合計平均層厚が３μｍ未満では、前記作用を十分に発揮させることができず、一方、その合計平均層厚が２０μｍを越えると、チッピングを発生しやすくなることから、その合計平均層厚を３〜２０μｍと定めた。
上部層のＡｌ２Ｏ３層：
上部層を構成するＡｌ２Ｏ３層が、高温硬さと耐熱性を備えることは既に良く知られているが、その平均層厚が１μｍ未満では、長期の使用にわたっての耐摩耗性を確保することができず、一方、その平均層厚が２５μｍを越えるとＡｌ２Ｏ３結晶粒が粗大化し易くなり、その結果、高温硬さ、高温強度の低下に加え、高速断続切削加工時の耐チッピング性、耐欠損性が低下するようになることから、その平均層厚を１〜２５μｍと定めた。
下部層と上部層との界面近傍の下部層中に設けた微小空孔富裕層：
本発明のＴｉ化合物層で構成された下部層とＡｌ２Ｏ３層で構成された上部層との界面近傍の下部層中に孔径２〜７０ｎｍの微小空孔を有する微小空孔富裕層が存在している下部層は、切れ刃が高温に曝され、しかも、機械的・熱的衝撃を受ける高速断続切削加工においても、すぐれた高温強度、高温硬さを備え、同時に、すぐれた耐チッピング性、耐欠損性を発揮する。さらに、該微小空孔富裕層の微小空孔の孔径を２ｎｍから７０ｎｍにわたって均一に分布させるのではなく、バイモーダルな分布（双峰分布）をとることにより、より高い耐チッピング性、耐欠損性を発揮する。
微小空孔富裕層の形成：
本発明の微小空孔富裕層は、通常の化学蒸着条件で成膜した下部層の表面を次の２つの条件によるエッチングを施すことによって形成することができる。
【００１９】
下部層成膜用の反応ガスの導入と、以下の２つ条件によるエッチングを交互に行うことにより、下部層と上部層との界面近傍の下部層中に所定の孔径分布を有する微小空孔富裕層が形成される。
（Ａ条件）
反応ガス組成（容量％）：
ＳＦ６：５〜１０％，
Ｈ２：残
反応雰囲気温度：８００〜９５０℃、
反応雰囲気圧力：  ４〜９ｋＰａ、
の条件で５〜３０分間ＳＦ６エッチングを行う。
（Ｂ条件）
反応ガス組成（容量％）：
ＳＦ６：５〜１０％，
Ｈ２：残
反応雰囲気温度：１０００〜１０５０℃、
反応雰囲気圧力：  １３〜２７ｋＰａ、
の条件で４〜３０分間ＳＦ６エッチングを行う。
微小空孔富裕層の孔径分布形態：
図３に、前記のエッチング条件を用いて形成された本発明の下部層と上部層との界面近傍の下部層中の微小空孔富裕層に形成された微小空孔の孔径分布図を示す。
【００２０】
図３に示されるように、本発明の下部層と上部層との界面近傍の下部層中の微小空孔富裕層には、孔径２〜７０ｎｍの微小空孔が存在しているが、その孔径分布は、第１ピークが２〜１０ｎｍに存在し、孔径２ｎｍごとに微小空孔を数えたときの第１ピークにおける微小空孔数密度が２００〜５００個／μｍ２であって、第２ピークが２０〜５０ｎｍに存在し、孔径２ｎｍごとに微小空孔を数えたときの第２ピークにおける微小空孔数密度が１０〜５０個／μｍ２である形態のバイモーダルな分布をとっている。
【００２１】
本発明で、微小空孔の孔径分布において、孔径２〜１０ｎｍである小さな微小空孔の第１ピークを２００〜５００個／μｍ２の範囲内と定めたのは、孔径２〜１０ｎｍである小さな微小空孔の孔径分布における第１ピークが２００個／μｍ２未満であるとＡｌ２Ｏ３の核生成数向上という効果が十分に発揮しえなくなり、一方、５００個／μｍ２を超えると空隙率が高くなりすぎ、下部層と上部層との界面近傍の脆化とともに耐摩耗性の低下が生じるからである。
【００２２】
また、微小空孔の孔径分布において、孔径２０〜５０ｎｍである大きな微小空孔の第２ピークを１０〜５０個／μｍ２の範囲内と定めたのは、１０個／μｍ２以下あるいは５０個／μｍ２を超える範囲では、熱的および機械的衝撃を吸収緩和するという効果が十分に発揮しえなくなり、耐チッピング性、耐欠損性向上という効果が十分に発揮されないという理由による。
【００２３】
また、本発明で、微小空孔の孔径を２〜７０ｎｍと定めたのは、下部層と上部層との界面近傍の下部層中の微小空孔富裕層に形成される空孔の孔径が２ｎｍ未満では、衝撃緩和効果が期待できず、一方、孔径が７０ｎｍを超えると、下部層の靭性低下が大きくなるためであり、下部層の高温強度、高温硬さを維持しつつ、断続的・衝撃的負荷に対する衝撃緩和効果を保持するためには、下部層と上部層との界面近傍の下部層内部に形成される微小空孔の孔径は２〜７０ｎｍでなければならない。
また、本発明で、下部層と上部層との界面近傍の下部層中の微小空孔富裕層の層厚を０．１〜１μｍの範囲内と定めたのは、０．１μｍ未満では、微小空孔による衝撃緩和効果が十分に期待できず、一方、１μｍを超えると、界面近傍の靭性が低下し、耐チッピング性、耐欠損性向上という効果が十分に発揮されないという理由による。
【発明の効果】
【００２４】
本発明の被覆工具は、硬質被覆層として、Ｔｉ化合物層からなる下部層とＡｌ２Ｏ３層からなる上部層を被覆形成し、かつ、下部層と上部層との界面近傍の下部層中に孔径分布がバイモーダルな分布をとる微小空孔富裕層を有していることにより、鋼や鋳鉄等の高熱発生を伴い、しかも、切れ刃に断続的・衝撃的高負荷が作用する高速断続切削加工に用いた場合でも、耐チッピング性、耐欠損性にすぐれ、その結果、長期の使用にわたってすぐれた耐摩耗性を発揮し、被覆工具の長寿命化が達成されるものである。
【図面の簡単な説明】
【００２５】
【図１】本発明被覆工具の下部層と上部層との界面近傍の下部層中に形成される微小空孔富裕層の概略模式図を示す。
【図２】本発明被覆工具の下部層と上部層との界面近傍の下部層中に形成される微小空孔富裕層を拡大した概略模式図を示す。
【図３】本発明被覆工具の下部層と上部層との界面近傍の下部層中に形成される微小空孔富裕層の孔径分布図を示す。
【発明を実施するための形態】
【００２６】
つぎに、本発明の被覆工具を実施例により具体的に説明する。
【実施例】
【００２７】
原料粉末として、いずれも１〜３μｍの平均粒径を有するＷＣ粉末、ＴｉＣ粉末、ＺｒＣ粉末、ＶＣ粉末、ＴａＣ粉末、ＮｂＣ粉末、Ｃｒ3Ｃ2粉末、ＴｉＮ粉末、およびＣｏ粉末を用意し、これら原料粉末を、表１に示される配合組成に配合し、さらにワックスを加えてアセトン中で２４時間ボールミル混合し、減圧乾燥した後、９８ＭＰａの圧力で所定形状の圧粉体にプレス成形し、この圧粉体を５Ｐａの真空中、１３７０〜１４７０℃の範囲内の所定の温度に１時間保持の条件で真空焼結し、焼結後、切刃部にＲ：０．０７ｍｍのホーニング加工を施すことによりＩＳＯ・ＣＮＭＧ１２０４０８に規定するインサート形状をもったＷＣ基超硬合金製の工具基体Ａ〜Ｅをそれぞれ製造した。
【００２８】
また、原料粉末として、いずれも０．５〜２μｍの平均粒径を有するＴｉＣＮ（質量比でＴｉＣ／ＴｉＮ＝５０／５０）粉末、Ｍｏ2Ｃ粉末、ＺｒＣ粉末、ＮｂＣ粉末、ＴａＣ
粉末、ＷＣ粉末、Ｃｏ粉末、およびＮｉ粉末を用意し、これら原料粉末を、表２に示される配合組成に配合し、ボールミルで２４時間湿式混合し、乾燥した後、９８ＭＰａの圧力で圧粉体にプレス成形し、この圧粉体を１．３ｋＰａの窒素雰囲気中、温度：１５４０℃に１時間保持の条件で焼結し、焼結後、切刃部分にＲ：０．０７ｍｍのホーニング加工を施すことによりＩＳＯ規格・ＣＮＭＧ１２０４０８のインサート形状をもったＴｉＣＮ基サーメット製の工具基体ａ〜ｅを形成した。
【００２９】
つぎに、これらの工具基体Ａ〜Ｅおよび工具基体ａ〜ｅの表面に、通常の化学蒸着装置を用い、
（ａ）硬質被覆層の下部層として、表３に示される条件でＴｉ化合物層を蒸着形成する。
（ｂ）次いで、（ａ）のＴｉ化合物層成膜を停止し、表４に示されるＡ条件によるＳＦ６エッチングを所定時間行い、さらに（ａ）の成膜工程を再度行ない、再度停止した後に表４に示されるＢ条件によるＳＦ６エッチングを所定時間行い、さらに（ａ）の成膜工程を再度行なう。
（ｃ）前記（ｂ）の工程を表４に示される所定回数繰り返し行い微小空孔富裕層を形成し、表５に示される目標層厚でＴｉ化合物層を蒸着形成する。
（ｄ）次いで、硬質被覆層の上部層として、表３に示される条件で所定の層厚のＡｌ２Ｏ３層を蒸着形成する。
【００３０】
前記（ａ）〜（ｄ）によって、表５に示される下部層、表６に示される下部層と上部層との界面近傍の下部層中に孔径分布がバイモーダルな分布をとる微小空孔富裕層、および、表５に示される目標層厚の上部層（Ａｌ２Ｏ３層）からなる硬質被覆層を蒸着形成することにより本発明被覆工具１〜１５を製造した。
また、前記（ａ）〜（ｄ）の（ｂ）工程の際、ＳＦ６エッチングを表４に示される1種類のみの条件で行うことで、表５に示される下部層、表６に示される下部層と上部層との界面近傍の下部層中に微小空孔が存在する微小空孔富裕層、および、表５に示される目標層厚の上部層（Ａｌ２Ｏ３層）からなる硬質被覆層を蒸着形成することにより本発明被覆工具１６〜１７を製造した。
【００３１】
前記本発明被覆工具１〜１７の下部層のＴｉ化合物層について、走査型電子顕微鏡（倍率５００００倍）を用いて複数視野にわたって観察したところ、いずれも、図１に示した概略模式図に示される下部層と上部層との界面近傍の下部層中に微小空孔富裕層が存在する膜構造が確認された。
さらに、前記本発明被覆工具１〜１５の下部層と上部層との界面近傍の下部層中の微小空孔富裕層について、走査型電子顕微鏡（倍率５００００倍）及び透過型電子顕微鏡（倍率２０００００倍）を用いて界面に沿って長さ１０μｍに亘って複数視野観察し、それぞれの視野について微小空孔を観察したところ、図３に示した孔径分布図に示される孔径分布形態が確認された。
【００３２】
また、比較の目的で、工具基体Ａ〜Ｅおよび工具基体ａ〜ｅの表面に、表３に示される条件かつ表５に示される目標層厚で本発明被覆工具１〜１７と同様に、硬質被覆層の下部層としてのＴｉ化合物層を蒸着形成した。
【００３３】
次いで、硬質被覆層の上部層として、表３に示される条件かつ表５に示される目標層厚でＡｌ２Ｏ３層からなる上部層を蒸着形成することにより、表５の比較被覆工具１〜１７を作製した。
【００３４】
また、本発明被覆工具１〜１７および比較被覆工具１〜１７の各構成層の層厚を、走査型電子顕微鏡を用いて測定したところ、いずれも表５に示される目標層厚と実質的に同じ平均層厚を示した。
【００３５】
【表１】
0005818159.tif 000002
【００３６】
【表２】
0005818159.tif 000003
【００３７】
【表３】
0005818159.tif 000004
【００３８】
【表４】
0005818159.tif 000005
【００３９】
【表５】
0005818159.tif 000006
【００４０】
【表６】
0005818159.tif 000007
つぎに、前記本発明被覆工具１〜１７及び比較被覆工具１〜１７について、表７に示す条件で切削加工試験を実施し、いずれの切削試験でも切刃の逃げ面摩耗幅を測定した。
【００４１】
表８に、この測定結果を示した。
【００４２】
【表７】
0005818159.tif 000008
【００４３】
【表８】
0005818159.tif 000009
表５〜８に示される結果から、本発明被覆工具１〜１７は、硬質被覆層の下部層と上部層の界面近傍の下部層中に微小空孔富裕層を有していることにより、鋼や鋳鉄等の高熱発生を伴い、しかも、切れ刃に断続的・衝撃的高負荷が作用する高速断続切削加工に用いた場合でも、耐チッピング性、耐欠損性にすぐれ、その結果、長期の使用にわたってすぐれた耐摩耗性を発揮することが明らかである。さらに、微小空孔富裕層が所定の孔径分布を有している際には、よりすぐれた耐摩耗性を発揮することが明らかである。
【００４４】
これに対して、微小空孔富裕層を有していない比較被覆工具１〜１７については、高熱発生を伴い、しかも、切れ刃に断続的・衝撃的高負荷が作用する高速断続切削加工に用いた場合、チッピング、欠損等の発生により短時間で寿命にいたることが明らかである。
【産業上の利用可能性】
【００４５】
前述のように、本発明の被覆工具は、例えば、鋼や鋳鉄等の高熱発生を伴い、かつ、切れ刃に断続的・衝撃的高負荷が作用する高速断続切削加工において、すぐれた耐チッピング性、耐欠損性を発揮し、使用寿命の延命化を可能とするものであるが、高速断続切削加工条件ばかりでなく、高速切削加工条件、高切込み、高送りの高速重切削加工条件等で使用することも勿論可能である。
【図１】
0005818159.tif 000010
【図２】
0005818159.tif 000011
【図３】
0005818159.tif 000012